(57)【要約】  本発明は、プレーヤおよびセレクタを備えるモバイル装置のためのメディアコンテンツをスイッチングする方法に関する。それは、以下のステップを備えることを特徴とする：前記プレーヤ上で第１のメディアコンテンツを再生するための前記プレーヤからのｈｔｔｐストリーミング要求を受信するステップ（ＲＸ＿ＲＥＱ１（Ｃ１））と、第１のファイルのうちのいくつかの中でセグメント化された前記第１のメディアコンテンツに対応する前記第１のファイルを備える前記ｈｔｔｐストリーミング要求に関連する第１のｈｔｔｐメッセーを前記プレーヤに送信するステップ（ＴＸ＿ＭＳＧ１（Ｃ１．Ｆ１、Ｃ１．Ｆ２））と、前記プレーヤ上で第２のメディアコンテンツを再生するための前記セレクタからのｈｔｔｐスイッチングメディアコンテンツ要求を受信するステップ（ＲＸ＿ＲＥＱ２（Ｃ２））と、前記第２のメディアコンテンツに対応する第２のファイルによって前記第１のファイルを前記第１のｈｔｔｐメッセージ内で置き換えるステップ（ＲＰＬ＿Ｃ）と、前記第２のメディアコンテンツが前記第２のファイルのうちのいくつかの中でセグメント化されていて、前記第２のファイルを備える前記ｈｔｔｐストリーミング要求に関連する第１のｈｔｔｐメッセージを前記プレーヤに送信するステップ（ＴＸ＿ＭＳＧ（Ｃ２．Ｆ１、Ｃ２．Ｆ２））。
2013500658.tif 000002
【特許請求の範囲】
【請求項１】
メディアコンテンツプレーヤ（ＰＬ）およびメディアコンテンツセレクタ（ＳＥ）を備えるモバイル装置（ＭＡ）のためのメディアコンテンツ（Ｃ）をスイッチングする方法であって、
−  前記メディアコンテンツプレーヤ（ＰＬ）上で第１のメディアコンテンツ（Ｃ１）を再生するための前記メディアコンテンツプレーヤ（ＰＬ）からのｈｔｔｐストリーミング要求（ＲＥＱ１）を受信するステップと、
−  第１のファイル（Ｃ１．Ｆ１、Ｃ１．Ｆ２）のうちのいくつかの中でセグメント化された前記第１のメディアコンテンツ（Ｃ１）に対応する前記第１のファイルを備える前記ｈｔｔｐストリーミング要求（ＲＥＱ１）に関連する第１のｈｔｔｐメッセージ（ＭＳＧ１）を前記メディアコンテンツプレーヤ（ＰＬ）に送信するステップと、
−  前記メディアコンテンツプレーヤ（ＰＬ）上で第２のメディアコンテンツ（Ｃ２）を再生するための前記メディアコンテンツセレクタ（ＳＥ）からのｈｔｔｐスイッチングメディアコンテンツ要求（ＲＥＱ２）を受信するステップと、
−  前記第２のメディアコンテンツ（Ｃ２）に対応する第２のファイル（Ｃ２．Ｆ１、Ｃ２．Ｆ２）によって前記第１のファイル（Ｃ１．Ｆ１、Ｃ１．Ｆ２）を前記第１のｈｔｔｐメッセージ（ＭＳＧ１）内で置き換えるステップと、
−  前記第２のメディアコンテンツ（Ｃ２）が前記第２のファイル（Ｃ２．Ｆ２）のうちのいくつかの中でセグメント化されていて、前記第２のファイル（Ｃ２．Ｆ１、Ｃ２．Ｆ２）を備える前記ｈｔｔｐストリーミング要求（ＲＥＱ１）に関連する第１のｈｔｔｐメッセージ（ＭＳＧ１）を前記メディアコンテンツプレーヤ（ＰＬ）に送信するステップと
を備える、方法。
【請求項２】
メディアコンテンツ（Ｃ）が音声／ビデオチャネルである、請求項１に記載の方法。
【請求項３】
メディアコンテンツ（Ｃ１、Ｃ２）へのアクセス権をもつためのモバイル装置（ＭＡ）の認証および許可をチェックするさらなるステップを備える、請求項１または２に記載の方法。
【請求項４】
メディアコンテンツ（Ｃ）に関するモバイル装置（ＭＡ）のｈｔｔｐストリーミング要求に関するコンテクスト情報（I）を保存するさらなるステップを備える、請求項１から３のいずれか一項に記載の方法。
【請求項５】
第１のメディアコンテンツ（Ｃ１）の再生の終了、および第２のメディアコンテンツ（Ｃ２）の再生の開始を通知するための事象（Ｅ）を事象管理システム（ＥＭＳ）に送信するさらなるステップを備える、請求項１から４のいずれか一項に記載の方法。
【請求項６】
前記第２のファイル（Ｃ２．Ｆ１、Ｃ２．Ｆ２）内で広告コンテンツを挿入するさらなるステップを備える、請求項１から５のいずれか一項に記載の方法。
【請求項７】
メディアコンテンツプレーヤ（ＰＬ）およびメディアコンテンツセレクタ（ＳＥ）を備えるモバイル装置（ＭＡ）のためのメディアコンテンツ（Ｃ）のスイッチングを要求する方法であって、
−  前記メディアコンテンツプレーヤ（ＰＬ）上で第１のメディアコンテンツ（Ｃ１）を再生するためのｈｔｔｐストリーミング要求（ＲＥＱ１）を前記メディアコンテンツプレーヤ（ＰＬ）によって前記ｈｔｔｐサーバ（ＨＴＴＰ＿Ｓ）に送信するステップと、
−  第１のファイル（Ｃ１．Ｆ１、Ｃ１．Ｆ２）のうちのいくつかの中でセグメント化された前記第１のメディアコンテンツ（Ｃ１）に対応する前記第１のファイルを備える前記ｈｔｔｐストリーミング要求（ＲＥＱ１）に関連する第１のｈｔｔｐメッセージ（ＭＳＧ１）を前記メディアコンテンツプレーヤ（ＰＬ）上で前記ｈｔｔｐサーバ（ＨＴＴＰ＿Ｓ）から受信するステップと、
−  前記メディアコンテンツプレーヤ（ＰＬ）上で第２のメディアコンテンツ（Ｃ２）を再生するためのｈｔｔｐスイッチングメディアコンテンツ要求（ＲＥＱ２）を前記メディアコンテンツセレクタ（ＳＥ）によって前記ｈｔｔｐサーバ（ＨＴＴＰ＿Ｓ）に送信するステップと、
−  前記第２のメディアコンテンツ（Ｃ２）が第２のファイル（Ｃ２．Ｆ２）のうちのいくつかの中でセグメント化されている、第２のファイル（Ｃ２．Ｆ１、Ｃ２．Ｆ２）を備える前記ｈｔｔｐストリーミング要求（ＲＥＱ１）に関連する第１のｈｔｔｐメッセージ（ＭＳＧ１）を前記メディアコンテンツプレーヤ（ＰＬ）上で前記ｈｔｔｐサーバ（ＨＴＴＰ＿Ｓ）から受信するステップと
を備える、方法。
【請求項８】
メディアコンテンツ（Ｃ）をスイッチングすることができる、そしてメディアコンテンツプレーヤ（ＰＬ）およびメディアコンテンツセレクタ（ＳＥ）を備えるモバイル装置（ＭＡ）と通信することができる、ｈｔｔｐサーバ（ＨＴＴＰ＿Ｓ）であって、
−  前記メディアコンテンツプレーヤ（ＰＬ）上で第１のメディアコンテンツ（Ｃ１）を再生するための前記メディアコンテンツプレーヤ（ＰＬ）からのｈｔｔｐストリーミング要求（ＲＥＱ１）を受信することと、
−  第１のファイル（Ｃ１．Ｆ１、Ｃ１．Ｆ２）のうちのいくつかの中でセグメント化された前記第１のメディアコンテンツ（Ｃ１）に対応する前記第１のファイルを備える前記ｈｔｔｐストリーミング要求（ＲＥＱ１）に関連する第１のｈｔｔｐメッセージ（ＭＳＧ１）を前記メディアコンテンツプレーヤ（ＰＬ）に送信することと、
−  前記メディアコンテンツプレーヤ（ＰＬ）上で第２のメディアコンテンツ（Ｃ２）を再生するための前記メディアコンテンツセレクタ（ＳＥ）からのｈｔｔｐスイッチングメディアコンテンツ要求（ＲＥＱ２）を受信することと、
−  前記第２のメディアコンテンツ（Ｃ２）に対応する第２のファイル（Ｃ２．Ｆ１、Ｃ２．Ｆ２）によって前記第１のファイル（Ｃ１．Ｆ１、Ｃ１．Ｆ２）を前記第１のｈｔｔｐメッセージ（ＭＳＧ１）内で置き換えることと、
−  前記第２のメディアコンテンツ（Ｃ２）が前記第２のファイル（Ｃ２．Ｆ２）のうちのいくつかの中でセグメント化されていて、前記第２のファイル（Ｃ２．Ｆ１、Ｃ２．Ｆ２）を備える前記ｈｔｔｐストリーミング要求（ＲＥＱ１）に関連する第１のｈｔｔｐメッセージ（ＭＳＧ１）を前記メディアコンテンツプレーヤ（ＰＬ）に送信することと
を行うことができる、ｈｔｔｐサーバ。
【請求項９】
メディアコンテンツプレーヤ（ＰＬ）およびメディアコンテンツセレクタ（ＳＥ）を備える、そしてｈｔｔｐサーバ（ＨＴＴＰ＿Ｓ）と通信することができる、モバイル装置（ＭＡ）であって、
−  前記メディアコンテンツプレーヤ（ＰＬ）上で第１のメディアコンテンツ（Ｃ１）を再生するためのｈｔｔｐストリーミング要求（ＲＥＱ１）を前記メディアコンテンツプレーヤ（ＰＬ）によって前記ｈｔｔｐサーバ（ＨＴＴＰ＿Ｓ）に送信することと、
−  第１のファイル（Ｃ１．Ｆ１、Ｃ１．Ｆ２）のうちのいくつかの中でセグメント化された前記第１のメディアコンテンツ（Ｃ１）に対応する前記第１のファイルを備える前記ｈｔｔｐストリーミング要求（ＲＥＱ１）に関連する第１のｈｔｔｐメッセージ（ＭＳＧ１）を前記メディアコンテンツプレーヤ（ＰＬ）上で前記ｈｔｔｐサーバ（ＨＴＴＰ＿Ｓ）から受信することと、
−  前記メディアコンテンツプレーヤ（ＰＬ）上で第２のメディアコンテンツ（Ｃ２）を再生するためのｈｔｔｐスイッチングメディアコンテンツ要求（ＲＥＱ２）を前記メディアコンテンツセレクタ（ＳＥ）によって前記ｈｔｔｐサーバ（ＨＴＴＰ＿Ｓ）に送信することと、
−  前記第２のメディアコンテンツ（Ｃ２）が第２のファイル（Ｃ２．Ｆ２）のうちのいくつかの中でセグメント化されていて、第２のファイル（Ｃ２．Ｆ１、Ｃ２．Ｆ２）を備える前記ｈｔｔｐストリーミング要求（ＲＥＱ１）に関連する第１のｈｔｔｐメッセージ（ＭＳＧ１）を前記メディアコンテンツプレーヤ（ＰＬ）上で前記ｈｔｔｐサーバ（ＨＴＴＰ＿Ｓ）から受信することと
を行うことができる、モバイル装置。
【請求項１０】
携帯電話である、請求項９に記載のモバイル装置（ＭＡ）。
【請求項１１】
ＩＰｈｏｎｅ（ＴＭ）である、請求項９または１０に記載のモバイル装置（ＭＡ）。
【請求項１２】
請求項８に記載のｈｔｔｐサーバ（ＨＴＴＰ＿Ｓ）、および請求項９から１１のいずれか一項に記載のモバイル装置（ＭＡ）を備える、メディア通信システム（ＳＹＳ）。
【請求項１３】
前記コンピュータにロードされるときにそのコンピュータに請求項１から６のいずれか一項に記載の方法を実行させる１セットの命令を備える、コンピュータのためのコンピュータプログラム製品（ＰＧ１）。
【請求項１４】
前記コンピュータにロードされるときにそのコンピュータに請求項７に記載の方法を実行させる１セットの命令を備える、コンピュータのためのコンピュータプログラム製品（ＰＧ２）。
【発明の詳細な説明】
【技術分野】
【０００１】
本発明は、メディアコンテンツプレーヤおよびメディアコンテンツセレクタを備えるモバイル装置のためのメディアコンテンツをスイッチングする方法に関する。本発明はまた、ｈｔｔｐサーバにおよびモバイル装置に、モバイル装置のためのメディアコンテンツのスイッチングを要求する方法に関する。
【０００２】
かかるメディアコンテンツをスイッチングする方法は、音声／ビデオチャネルなどの、但しこれらに限定されない、メディアコンテンツを使用する任意のメディア通信システムで使用されることができる。
【背景技術】
【０００３】
当業者によく知られている、メディアコンテンツプレーヤおよびメディアコンテンツセレクタを備えるモバイル装置のためのメディアコンテンツをスイッチングする方法は：
−  現在メディアコンテンツを見ているウィンドウを閉じることによって、メディアコンテンツを再生するメディアコンテンツプレーヤを停止するステップと、
−  入手可能なメディアコンテンツのリストでメディアコンテンツを選択するステップと、
−  選択された新しいメディアコンテンツ内で前記メディアコンテンツプレーヤを再始動するステップ、を備える。
【０００４】
この知られている先行技術の１つの問題は、メディアコンテンツストリームが中断され、停止／選択／再始動のステップに時間がかかるということである。
【発明の概要】
【発明が解決しようとする課題】
【０００５】
本発明の一目的は、メディアコンテンツストリームを中断することなくメディアコンテンツをスイッチングするための時間を減らす、メディアコンテンツプレーヤおよびメディアコンテンツセレクタを備えるモバイル装置のためのメディアコンテンツをスイッチングする方法を提供することである。
【課題を解決するための手段】
【０００６】
この目的のために、メディアコンテンツプレーヤおよびメディアコンテンツセレクタを備えるモバイル装置のためのメディアコンテンツをスイッチングする方法が提供され、前記方法は：
−  前記メディアコンテンツプレーヤ上で第１のメディアコンテンツを再生するための前記メディアコンテンツプレーヤからのｈｔｔｐストリーミング要求を受信するステップと、
−  第１のファイルのうちのいくつかの中でセグメント化された前記第１のメディアコンテンツに対応する前記第１のファイルを備える前記ｈｔｔｐストリーミング要求に関連する第１のｈｔｔｐメッセージを前記メディアコンテンツプレーヤに送信するステップと、
−  前記メディアコンテンツプレーヤ上で第２のメディアコンテンツを再生するための前記メディアコンテンツセレクタからのｈｔｔｐスイッチングメディアコンテンツ要求を受信するステップと、
−  前記第２のメディアコンテンツに対応する第２のファイルによって前記第１のファイルを前記第１のｈｔｔｐメッセージ内で置き換えるステップと、
−  前記第２のメディアコンテンツが前記第２のファイルのうちのいくつかの中でセグメント化されている、前記第２のファイルを備える前記ｈｔｔｐストリーミング要求に関連する第１のｈｔｔｐメッセージを前記メディアコンテンツプレーヤに送信するステップ、を備える。
【０００７】
さらに詳しく述べるように、第１のメディアコンテンツのｈｔｔｐストリーミングに関連する同じｈｔｔｐメッセージ内の第２の選択メディアコンテンツに対応するファイルによる第１の選択メディアコンテンツに対応するファイルの置換えのおかげで、メディアコンテンツのスイッチングが、メディアコンテンツストリームを中断することなく、実行される。
【０００８】
第１の限定されない実施形態では、メディアコンテンツは音声／ビデオチャネルである。この方法は、モバイル装置のユーザが、ＴＶチャネルなどの単純なやり方で、音声／ビデオチャネルをスイッチングすることを可能にする。
【０００９】
第２の限定されない実施形態では、本方法は、メディアコンテンツへのアクセス権をもつためのモバイル装置の認証および許可をチェックするさらなるステップを備える。それは、モバイル装置のユーザがメディアコンテンツに対応するファイルへのアクセス権をもちうるかどうかをチェックすることを可能にする。
【００１０】
第３の限定されない実施形態では、本方法は、メディアコンテンツに関するモバイル装置のｈｔｔｐストリーミング要求に関するコンテクスト情報を保存するさらなるステップを備える。それは、モバイル装置のユーザによるメディアコンテンツ予約視聴の使用に関連する何らかの統計を実行することを可能にする。
【００１１】
第４の限定されない実施形態では、本方法は、第１のメディアコンテンツの再生の終了および第２のメディアコンテンツの再生の開始を通知するための事象を事象管理システムに送信するさらなるステップを備える。それは、たとえば測定視聴者データを取得することを可能にする。
【００１２】
第５の限定されない実施形態では、本方法は、前記第２のファイル内に広告コンテンツを挿入するさらなるステップを備える。それは、メディアコンテンツ事業者が何らかの広告を挿入することを可能にする。
【００１３】
加えて、メディアコンテンツプレーヤおよびメディアコンテンツセレクタを備えるモバイル装置のためのメディアコンテンツのスイッチングを要求する方法が提供され、前記方法は：
−  前記メディアコンテンツプレーヤ上で第１のメディアコンテンツを再生するためのｈｔｔｐストリーミング要求を前記メディアコンテンツプレーヤによって前記ｈｔｔｐサーバに送信するステップと、
−  第１のファイルのうちのいくつかの中でセグメント化された前記第１のメディアコンテンツに対応する前記第１のファイルを備える前記ｈｔｔｐストリーミング要求に関連する第１のｈｔｔｐメッセージを前記メディアコンテンツプレーヤ上で前記ｈｔｔｐサーバから受信するステップと、
−  前記メディアコンテンツプレーヤ上で第２のメディアコンテンツを再生するためのｈｔｔｐスイッチングメディアコンテンツ要求を前記メディアコンテンツセレクタによって前記ｈｔｔｐサーバに送信するステップと、
−  前記第２のメディアコンテンツが第２のファイルのうちのいくつかの中でセグメント化されている、前記第２のファイルを備える前記ｈｔｔｐストリーミング要求に関連する第１のｈｔｔｐメッセージを前記メディアコンテンツプレーヤ上で前記ｈｔｔｐサーバから受信するステップ、を備える。
【００１４】
加えて、メディアコンテンツをスイッチングすることができる、そしてメディアコンテンツプレーヤおよびメディアコンテンツセレクタを備えるモバイル装置と通信することができる、ｈｔｔｐサーバが提供され：
−  前記メディアコンテンツプレーヤ上で第１のメディアコンテンツを再生するための前記メディアコンテンツプレーヤからのｈｔｔｐストリーミング要求を受信することと、
−  第１のファイルのうちのいくつかの中でセグメント化された前記第１のメディアコンテンツに対応する前記第１のファイルを備える前記ｈｔｔｐストリーミング要求に関連する第１のｈｔｔｐメッセージを前記メディアコンテンツプレーヤに送信することと、
−  前記メディアコンテンツプレーヤ上で第２のメディアコンテンツを再生するための前記メディアコンテンツセレクタからのｈｔｔｐスイッチングメディアコンテンツ要求を受信することと、
−  前記第２のメディアコンテンツに対応する第２のファイルによって前記第１のファイルを前記第１のｈｔｔｐメッセージ内で置き換えることと、
−  前記第２のメディアコンテンツが前記第２のファイルのうちのいくつかの中でセグメント化されていて、前記第２のファイルを備える前記ｈｔｔｐストリーミング要求に関連する第１のｈｔｔｐメッセージを前記メディアコンテンツプレーヤに送信すること、を行うことができる。
【００１５】
加えて、メディアコンテンツプレーヤおよびメディアコンテンツセレクタを備える、そしてｈｔｔｐサーバと通信することができる、モバイル装置が提供され：
−  前記メディアコンテンツプレーヤ上で第１のメディアコンテンツを再生するためのｈｔｔｐストリーミング要求を前記メディアコンテンツプレーヤによって前記ｈｔｔｐサーバに送信することと、
−  第１のファイルのうちのいくつかの中でセグメント化された前記第１のメディアコンテンツに対応する前記第１のファイルを備える前記ｈｔｔｐストリーミング要求に関連する第１のｈｔｔｐメッセージを前記メディアコンテンツプレーヤ上で前記ｈｔｔｐサーバから受信することと、
−  前記メディアコンテンツプレーヤ上で第２のメディアコンテンツを再生するためのｈｔｔｐスイッチングメディアコンテンツ要求を前記メディアコンテンツセレクタによって前記ｈｔｔｐサーバに送信することと、
−  前記第２のメディアコンテンツが第２のファイルのうちのいくつかの中でセグメント化されていて、前記第２のファイルを備える前記ｈｔｔｐストリーミング要求に関連する第１のｈｔｔｐメッセージを前記メディアコンテンツプレーヤ上で前記ｈｔｔｐサーバから受信すること、を行うことができる。
【００１６】
第１の限定されない実施形態において、モバイル装置は携帯電話である。
【００１７】
第２の限定されない実施形態において、モバイル装置は、ＩＰｈｏｎｅ（ＴＭ）である。それは、前記特定の携帯電話上でメディアコンテンツのスイッチングを実行することを可能にする。
【００１８】
加えて、上記で特徴付けられるようなｈｔｔｐサーバおよび上記で特徴付けられるようなモバイル装置を備える、メディア通信システムが提供される。
【００１９】
加えて、前記コンピュータにロードされたときに上記で特徴付けられるようなメディアコンテンツをスイッチングする方法をコンピュータに実行させる１セットの命令を備える、コンピュータのためのコンピュータプログラム製品が提供される。
【００２０】
加えて、前記コンピュータにロードされたときにそのコンピュータに上記で特徴付けられるような本方法を実行させる１セットの命令を備える、コンピュータのためのコンピュータプログラム製品が提供される。
【００２１】
単に一例として、本発明の実施形態による方法および／または装置のいくつかの実施形態が、以下のような添付の図面を参照して、ここで説明される。
【図面の簡単な説明】
【００２２】
【図１】本発明によるｈｔｔｐサーバおよびモバイル装置を備える第１の限定されない実施形態におけるメディア通信システムを概略的に示す図である。
【図２】本発明による限定されない一実施形態におけるメディアコンテンツをスイッチングする方法を示す概略図である。
【図３】本発明による限定されない一実施形態におけるメディアコンテンツのスイッチングを要求する方法を示す概略図である。
【図４】限定されない実施形態によるさらなるステップをもつ図２のメディアコンテンツをスイッチングする方法を示す概略図である。
【図５】限定されない実施形態による図３のメディアコンテンツのスイッチングを要求する方法と組み合わされた図２のメディアコンテンツをスイッチングする方法を示す概略図である。
【図６】図５のコンテンツをスイッチングする方法およびコンテンツをスイッチングすることを要求する方法を実行することができる、図１のメディア通信システムのｈｔｔｐサーバとモバイル装置の間のデータ交換を概略的に示す図である。
【図７】図５の本方法を実行することができる、図１のメディア通信システムを概略的に示す図である。
【図８】本発明によるｈｔｔｐサーバおよびモバイル装置を備える第２の限定されない実施形態におけるメディア通信システムを概略的に示す図である。
【発明を実施するための形態】
【００２３】
以下の説明では、当業者によってよく知られている機能または構造は、それらが不必要な詳細で本発明を分かりにくくすることになるため、詳細に説明されない。
【００２４】
本発明は、メディアコンテンツプレーヤおよびメディアコンテンツセレクタを備えるモバイル装置のためのメディアコンテンツをスイッチングする方法と、メディアコンテンツのスイッチングを要求する方法とに関する。
【００２５】
図１に示すように、
−  エンコーダＥＮＣＯＤ、セグメンタＳＧ、およびセッションマネジャＳＭを備えるｈｔｔｐサーバＨＴＴＰ＿Ｓ、
−  メディアコンテンツプレーヤＰＬおよびメディアコンテンツセレクタＳＥを備えるモバイル装置ＭＡ、
−  事象管理システムＥＭＳ、
−  予約視聴管理システムＳＵＢＭＧ、
−  モバイルメディアコンテンツサービスロジックＭＴＶＳＬ
を管理することができるメディア通信システムＳＹＳが、限定されない例として挙げられる。
【００２６】
限定されない一実施形態において、記載されるモバイル装置ＭＡは携帯電話である。前記実施形態の限定されない一変形形態において、モバイル装置ＭＡはＩＰｈｏｎｅ（ＴＭ）である。
【００２７】
限定されない一実施形態において、メディアコンテンツＣは音声／ビデオ（Ａ／Ｖ）チャネルである。他の限定されない実施形態において、メディアコンテンツは、音楽クリップなどの単一のＡ／Ｖコンテンツ、またはＡ／Ｖコンテンツもしくは音声チャネルの再生リストである。
【００２８】
以下の説明では、Ａ／Ｖチャネルのスイッチングは限定されない一例に入れられる。この例では、モバイルメディアコンテンツサービスロジックＭＴＶＳＬはモバイルＴＶサービスロジックである。
【００２９】
モバイル装置ＭＡのユーザがメディアコンテンツＣをスイッチングしたいとき、メディアコンテンツをスイッチングすることを要求することがモバイル装置ＭＡによって実行され、メディアコンテンツの関連スイッチングがｈｔｔｐサーバＨＴＴＰ＿Ｓによって実行される。
【００３０】
メディアコンテンツのスイッチングを要求する方法が図２に示され、メディアコンテンツをスイッチングする方法が図３に示される。
【００３１】
メディアコンテンツのスイッチングを要求する方法は、図２に示すように：
−  前記メディアコンテンツプレーヤＰＬ上で第１のメディアコンテンツＣ１を再生するためのｈｔｔｐストリーミング要求ＲＥＱ１を前記メディアコンテンツプレーヤＰＬによって前記ｈｔｔｐサーバＨＴＴＰ＿Ｓに送信するステップ（ステップＴＸ＿ＲＥＱ１）と、
−  前記第１のファイルＣ１．Ｆ２のうちのいくつかの中でセグメント化された前記第１のメディアコンテンツＣ１に対応する第１のファイルＣ１．Ｆ１、Ｃ１．Ｆ２を備える前記ｈｔｔｐストリーミング要求ＲＥＱ１に関連する第１のｈｔｔｐメッセージＭＳＧ１を前記メディアコンテンツプレーヤＰＬ上で前記ｈｔｔｐサーバＨＴＴＰ＿Ｓから受信するステップ（ステップＲＸ＿ＭＳＧ１（Ｃ１．Ｆ１、Ｃ１．Ｆ２））と、
−  前記メディアコンテンツプレーヤＰＬ上で第２のメディアコンテンツＣ２を再生するためのｈｔｔｐスイッチングメディアコンテンツ要求ＲＥＱ２を前記メディアコンテンツセレクタＳＥによって前記ｈｔｔｐサーバＨＴＴＰ＿Ｓに送信するステップ（ステップＴＸ＿ＲＥＱ２（Ｃ２））と、
−  前記第２のメディアコンテンツＣ２が第２のファイルＣ２．Ｆ２のうちのいくつかの中でセグメント化されている、第２のファイルＣ２．Ｆ１、Ｃ２．Ｆ２を備える前記ｈｔｔｐストリーミング要求ＲＥＱ１に関連する第１のｈｔｔｐメッセージＭＳＧ１を前記メディアコンテンツプレーヤＰＬ上で前記ｈｔｔｐサーバＨＴＴＰ＿Ｓから受信するステップ（ステップＲＸ＿ＭＳＧ１（Ｃ２．Ｆ１、Ｃ２．Ｆ２））、とを備える。
【００３２】
メディアコンテンツをスイッチングする本方法は、図３に示すように：
−  前記メディアコンテンツプレーヤＰＬ上で第１のコンテンツＣ１を再生するための前記メディアコンテンツプレーヤＰＬからのｈｔｔｐストリーミング要求ＲＥＱ１を受信するステップ（ステップＲＸ＿ＲＥＱ１（Ｃ１））と、
−  第１のファイルＣ１．Ｆ１、Ｃ１．Ｆ２のうちのいくつかの中でセグメント化された前記第１のメディアコンテンツＣ１に対応する前記第１のファイルを備える前記ｈｔｔｐストリーミング要求ＲＥＱ１に関連する第１のｈｔｔｐメッセージＭＳＧ１を前記メディアコンテンツプレーヤＰＬに送信するステップ（ステップＴＸ＿ＭＳＧ１（Ｃ１．Ｆ１、Ｃ１．Ｆ２））と、
−  前記メディアコンテンツプレーヤＰＬ上で第２のメディアコンテンツＣ２を再生するための前記メディアコンテンツセレクタＳＥからｈｔｔｐスイッチングメディアコンテンツ要求ＲＥＱ２を受信するステップ（ステップＲＸ＿ＲＥＱ２（Ｃ２））と、
−  前記第２のメディアコンテンツＣ２に対応する第２のファイルＣ２．Ｆ１、Ｃ２．Ｆ２によって前記第１のファイルＣ１．Ｆ１、Ｃ１．Ｆ２を前記第１のｈｔｔｐメッセージＭＳＧ１内で置き換えるステップ（ステップＲＬＰ＿Ｃ）と、
−  前記第２のメディアコンテンツＣ２が前記第２のファイルＣ２．Ｆ２のうちのいくつかの中でセグメント化されている、前記第２のファイルＣ２．Ｆ１、Ｃ２．Ｆ２を備える前記ｈｔｔｐストリーミング要求ＲＥＱ１に関連する第１のｈｔｔｐメッセージＭＳＧ１を前記メディアコンテンツプレーヤＰＬに送信するステップ（ステップＴＸ＿ＭＳＧ１（Ｃ２．Ｆ１、Ｃ２．Ｆ２））、とを備える。
【００３３】
図４に示すような限定されない一実施形態において、メディアコンテンツをスイッチングする本方法は、メディアコンテンツＣ１、Ｃ２へのアクセス権をもつためのモバイル装置ＭＡの認証および許可をチェックするさらなるステップ（ステップＣＨＫ＿ＡＡ）を備える。
【００３４】
図４に示すような限定されない一実施形態において、メディアコンテンツをスイッチングする本方法は、メディアコンテンツＣに関するモバイル装置ＭＡのｈｔｔｐストリーミング要求に関する情報Ｉを保存するさらなるステップ（ステップＳＡＶ＿Ｉ）を備える。
【００３５】
図４に示すような限定されない一実施形態において、メディアコンテンツをスイッチングする本方法は、第１のメディアコンテンツＣ１の再生の終了および第２のメディアコンテンツＣ２の再生の開始を通知するための事象Ｅを事象管理システムＥＭＳに送信するさらなるステップ（ステップＴＸ＿Ｅ）を備える。
【００３６】
図４に示すような限定されない一実施形態において、メディアコンテンツをスイッチングする本方法は、前記第２のファイルＣ２．Ｆ１、Ｃ２．Ｆ２内に広告コンテンツを挿入するさらなるステップ（ステップＩＮＳＲＴ＿ＡＤＶ）を備える。
【００３７】
メディアコンテンツをスイッチングする本方法およびメディアコンテンツのスイッチングを要求する本方法は、以下に詳細に説明される。
【００３８】
以下の説明では、説明されるメディアコンテンツのスイッチングの限定されない実施形態において、メディアコンテンツをスイッチングする本方法は前述のさらなるステップを備える。
【００３９】
図５および６が参照されることになる。
【００４０】
モバイル装置ＭＡのユーザがメディアコンテンツＣを見たいとき、彼は、彼がメディアプレーヤＰＬ上で再生させたい第１のメディアコンテンツＣ１をメディアコンテンツセレクタＳＥによって選択する。したがって、以下のステップが実行される。
【００４１】
初期ステップ０）で、モバイル装置ＭＡが加入した事業者サーバＯＰ＿Ｓが、第１のメディアコンテンツＣ１に対応する索引ファイルと呼ばれるファイルＣ１．Ｆ１のＵＲＬをｈｔｔｐ要求を介してメディアコンテンツセレクタＳＥに送信する（図６に示すステップＲＴＲＶ＿ＵＲＬ（Ｃ１．Ｆ１））。メディアコンテンツセレクタＳＥが、前記ＵＲＬをメディアコンテンツプレーヤＰＬに送信する。
【００４２】
第１のステップ１）で、前記メディアコンテンツプレーヤＰＬ上で第１のメディアコンテンツＣ１を再生するためのｈｔｔｐストリーミング要求ＲＥＱ１を前記メディアコンテンツプレーヤＰＬによって前記ｈｔｔｐサーバＨＴＴＰ＿Ｓに送信する（ステップＴＸ＿ＲＥＱ１）。
【００４３】
ｈｔｔｐストリーミング要求ＲＥＱ１は索引ファイルＣ１．Ｆ１（以下に説明されるｍ３ｕ８索引ファイル）のＵＲＬを備えることに留意されたい。
【００４４】
ストリーミング要求ＲＥＱ１は、よく知られているプロトコルＨＴＴＰ「ハイパーテキスト転送プロトコル」を使用するｈｔｔｐ要求である。
【００４５】
もう１つの限定されない変形形態において、ストリーミング要求ＲＥＱ１は、よく知られているプロトコルＨＴＴＰＳ「ハイパーテキスト転送プロトコルセキュア」を使用するｈｔｔｐｓ要求である。
【００４６】
第２のステップ２）で、第１のメディアコンテンツＣ１を前記メディアコンテンツプレーヤＰＬ上で再生するための前記メディアコンテンツプレーヤＰＬからのｈｔｔｐストリーミング要求ＲＥＱ１を受信する（ステップＲＸ＿ＲＥＱ１（Ｃ１））。
【００４７】
限定されない一実施形態において、このステップは、ｈｔｔｐサーバＨＴＴＰ＿ＳのセッションマネジャＳＭによって実行される。
【００４８】
ｈｔｔｐストリーミング要求ＲＥＱ１は、見られることになるメディアコンテンツＣ１の名前、ここでは第１のチャネルＣ１の名前、を備えることに留意されたい。
【００４９】
第３のステップ３）で、第１のファイルＣ１．Ｆ１、Ｃ１．Ｆ２のうちのいくつかの中でセグメント化された前記第１のメディアコンテンツＣ１に対応する前記第１のファイルを備える前記ｈｔｔｐストリーミング要求ＲＥＱ１に関連する第１のｈｔｔｐメッセージＭＳＧ１を前記メディアコンテンツプレーヤＰＬに送信する（ステップＴＸ＿ＭＳＧ１（Ｃ１．Ｆ１、Ｃ１．Ｆ２））。
【００５０】
限定されない一実施形態において、このステップは、ｈｔｔｐサーバＨＴＴＰ＿ＳのセッションマネジャＳＭによって実行される。
【００５１】
以下に説明するように、第１のメディアコンテンツＣ１に対応する第１のファイルＣ１．Ｆ１およびＣ１．Ｆ２は：
−  セグメントＣ１．Ｆ２のリストを備える索引ファイルＣ１．Ｆ１と、
−  第１のメディアコンテンツがその中でセグメント化された、セグメントＣ１．Ｆ２、を備える。
【００５２】
このステップは、セッションマネジャＳＭによってセグメンタＳＧから第１のファイルＣ１．Ｆ１およびＣ１．Ｆ２を取り出すサブステップを備える。
【００５３】
セグメンタＳＧは：
−  メディアコンテンツＣに対応する符号化ストリームＣＳをセグメントと呼ばれる一連の短いメディアファイルＣ．Ｆ２にセグメント化すること、
−  そのメディアファイルＣ．Ｆ２のリストを備える索引ファイルＣ．Ｆ１を作成し、保持すること、を行うことができることに留意されたい。
【００５４】
限定されない一実施形態において、Ａ／Ｖチャネルの場合、索引ファイルＣ．Ｆ１のＵＲＬは、図１に示すように、電子番組ガイドＥＰＧを備えるモバイルＴＶサービスロジックＭＴＶＳＬ上で発行される。
【００５５】
符号化ストリームＣＳは、エンコーダＥＮＣＯＤによって符号化されるメディアコンテンツＣに対応するメディア連続ストリームＣＩに基づくことにも留意されたい。
【００５６】
限定されない一実施形態において、エンコーダＥＮＣＯＤはＭＰＥＧ−２エンコーダであり、そのメディア符号化ストリームＣＳは：
−  Ｈ．２６４ビデオ、および／または
−  ＭＰ３音声、または
−  ＨＥ＿ＡＡＣもしくはＡＡＣ−ＬＣステレオ音声、のフォーマットを持ちえる。
【００５７】
したがって、限定されない一実施形態において、メディアファイルＣ．Ｆ２は−ＴＳファイル（ＭＰＥＧ―２セグメント）として保存され、索引ファイルＣ．Ｆ１は、ＭＰ３再生リストに使用される．ｍ３Ｕフォーマットの拡張である．ｍ３Ｕ８ファイルとして保存される。
したがって、それぞれ１０秒のメディア持続期間の３つのＣ．ＭＰＥＧ２−ＴＳセグメントを備えるＣ．ｍ３Ｕ８ファイルの限定されない一例では、それはライブチャネルなどのライブメディアコンテンツのための以下の構造をもつ。
＃ＥＸＴＭ３Ｕ
＃ＥＸＴ−Ｘ−ＴＡＲＧＥＴＤＵＲＡＴＩＯＮ：１０
＃ＥＸＴ−Ｘ−ＭＥＤＩＡ−ＳＥＱＵＥＮＣＥ：１
＃ＥＸＴＩＮＦ：１０.
ＵＲＩ＝ｈｔｔｐ：／／ｎａｍｅ  ｓｅｒｖｅｒ／ｓｅｇｍｅｎｔ１−ＴＳ
＃ＥＸＴＩＮＦ：１０.
ＵＲＩ  ＝  ｈｔｔｐ：／／ｎａｍｅ  ｓｅｒｖｅｒ／ｓｅｇｍｅｎｔ２−ＴＳ
＃ＥＸＴＩＮＦ：１０.
ＵＲＩ  ＝ｈｔｔｐ：／／ｎａｍｅ  ｓｅｒｖｅｒ／ｓｅｇｍｅｎｔ３−ＴＳ
【００５８】
したがって、それぞれ１０秒のメディア持続期間の３つのＣ．ＭＰＥＧ２−ＴＳセグメントを備えるＣ．ｍ３ｕ８ファイルのもう１つの限定されない例では、それは、ライブビデオオンデマンド「ＶＯＤ」などのライブではないメディアコンテンツのための以下の構造をもつ。
＃ＥＸＴＭ３Ｕ
＃ＥＸＴ−Ｘ−ＴＡＲＧＥＴＤＵＲＡＴＩＯＮ：１０
＃ＥＸＴＩＮＦ：１０.
ＵＲＩ＝ｈｔｔｐ：／／ｎａｍｅ  ｓｅｒｖｅｒ／ｓｅｇｍｅｎｔ１−ＴＳ
＃ＥＸＴＩＮＦ：１０.
ＵＲＩ＝ｈｔｔｐ：／／ｎａｍｅ  ｓｅｒｖｅｒ／ｓｅｇｍｅｎｔ２−ＴＳ
＃ＥＸＴＩＮＦ：１０.
ＵＲＩ＝ｈｔｔｐ：／／ｎａｍｅ  ｓｅｒｖｅｒ／ｓｅｇｍｅｎｔ３−ＴＳ
＃ＥＸＴ−Ｘ−ＥＮＤＬＩＳＴ
【００５９】
かかるフォーマットおよび構造は、ＩＥＴＦ機関によって編集された草案「ＨＴＴＰ  ｌｉｖｅ  Ｓｔｒｅａｍｉｎｇ，Ｒ．Ｐａｎｔｏｓ  Ａｐｐｌｅ，Ｊｕｎｅ８，２００９」に記載されている。
【００６０】
与えられた限定されない例において、セグメント−ＴＳが見つけられうるＵＲＩ（Ｕｎｉｆｏｒｍ  Ｒｅｓｏｕｒｃｅ  Ｉｄｅｎｔｉｆｉｅｒ）は、ｈｔｔｐサーバＨＴＴＰ＿Ｓであることに留意されたい。
【００６１】
限定されない一実施形態において、メディア連続ストリームＣＩは、ライブであるまたは事前記録ソースに由来し、それらは事業者サーバＯＰ＿Ｓによって提案される。
【００６２】
ライブメディア連続ストリームＣＩの場合、セグメンタＳＧが、−ＴＳセグメントおよびｍ３ｕ８ファイルをその−ＴＳセグメントを連続的に参照して生成する。
【００６３】
第４のステップ４）で、第１のファイルＣ１．Ｆ１、Ｃ１．Ｆ２のうちのいくつかの中でセグメント化された前記第１のメディアコンテンツＣ１に対応する前記第１のファイルを備える前記ｈｔｔｐストリーミング要求ＲＥＱ１に関連する第１のｈｔｔｐメッセージＭＳＧ１を前記メディアコンテンツプレーヤＰＬ上で前記ｈｔｔｐサーバＨＴＴＰ＿Ｓから受信する（ステップＲＸ＿ＭＳＧ１（Ｃ１．Ｆ１、Ｃ１．Ｆ２））。
【００６４】
このステップは：
−  メディアコンテンツプレーヤＰＬが、第１のチャネルＣ１に対応するｍ３ｕ８索引ファイルをもつ第１のｈｔｔｐメッセージＭＳＧ１を受信する、
−  ｍ３ｕ８索引ファイルを受信したときに、モバイル装置ＭＡが、セグメントのＵＲＩ（前述のようなｍ３ｕ８索引ファイルで見つかるＵＲＩ）を備えるｈｔｔｐメッセージをｈｔｔｐサーバＨＴＴＰ＿Ｓに送信し、対応するセグメントを受信する、サブステップを備える。
【００６５】
これにより、すべてのセグメントが受信され、メディアコンテンツプレーヤＰＬによって再生されることができる。
【００６６】
したがって、モバイル装置ＭＡのユーザは、メディアコンテンツプレーヤによって、メディアコンテンツＣ１、ここでは彼が選んだ第１のＡ／Ｖチャネル、を見ることができる。
【００６７】
ライブチャネルの場合、ＨＴＴＰライブストリーミングＡｐｐｌｅ仕様で定義されるように、メディアコンテンツプレーヤＰＬは、これが終わりから３番目のＣ．ＭＰＥＧ２−ＴＳセグメントまでパースされると直ぐに、Ｃ．ｍ３ｕ８索引ファイルをリロードする役割を負う  ことに留意されたい。それは、３Ｃ．ＭＰＥＧ２−ＴＳセグメントを参照するＣ．ｍ３ｕ８ファイルのフレーム内で、メディアコンテンツプレーヤＰＬが、Ｃ．ｍ３ｕ８ファイルの新しいリリースおよびＣ．ｍ３ｕ８ファイルに参照された第１のＣ．ＭＰＥＧ２−ＴＳセグメントを別法としてダウンロードすることを意味する。したがって、第１のＣ．ｍ３ｕ８ファイルの第２のＣ．ＭＰＥＧ２−ＴＳセグメントおよび第３のＣ．ＭＰＥＧ２−ＴＳセグメントは、それぞれＣ．ｍ３ｕ８の新しいリリース内の第１のＣ．ＭＰＥＧ２−ＴＳセグメントとしておよび第２のＣ．ＭＰＥＧ２−ＴＳセグメントとして参照され、新しいリリースＣ．ｍ３ｕ８内の第３のセグメントＣ．ＭＰＥＧ２−ＴＳは、ライブチャネルの新しいセグメントである。
【００６８】
第１のＡ／ＶチャネルＣ１を見ながら、ユーザがチャネルをスイッチングしたいとき、彼は、メディアコンテンツセレクタＳＥによって、新しいＡ／ＶチャネルＣ２を選択する。
【００６９】
メディアコンテンツセレクタＳＥは、したがって、ユーザがその選択を実行するための表示手段を備えることに留意されたい。その表示手段は、限定されない一実施形態において、メディアコンテンツプレーヤＰＬを中断することなく、リアプロジェクション内のモバイル装置ＭＡのメディアコンテンツプレーヤＰＬを介して、入手可能なチャネルＣのリストを表示することを可能にする。
【００７０】
限定されない一実施形態において、ＩＰｈｏｎｅ  ＳＤＫ（ＴＭ）の例では、表示手段は、オーバレイと呼ばれる機能に基づく。限定されない一例では、その表示手段はポップアップウィンドウである。
【００７１】
したがって、さらなる以下のステップが実行される。
【００７２】
第５のステップ５）で、ユーザが新しいチャネルＣ２を選択したときに、前記メディアコンテンツプレーヤＰＬ上で第２のメディアコンテンツＣ２を再生するためのｈｔｔｐスイッチングメディアコンテンツ要求ＲＥＱ２を前記メディアコンテンツセレクタＳＥによって前記ｈｔｔｐサーバＨＴＴＰ＿Ｓに送信する（ステップＴＸ＿ＲＥＱ２（Ｃ２））。
【００７３】
ｈｔｔｐスイッチングメディアコンテンツ要求ＲＥＱ２は、見られることになるメディアコンテンツＣ２の名前、ここでは第２のチャネルＣ２の名前、を備えることに留意されたい。
【００７４】
前述した初期ステップ０）と同様に、モバイル装置ＭＡが加入した事業者サーバＯＰ＿Ｓは、第２のメディアコンテンツＣ２に対応する索引ファイルＣ２．Ｆ１のＵＲＬをｈｔｔｐ要求を介してメディアコンテンツセレクタＳＥに事前に送信してある（新しいチャネルＣ２を選択したときに）ことに留意されたい（ステップは図示せず）。
【００７５】
第１の限定されない実施形態において、ｈｔｔｐスイッチングメディアコンテンツ要求ＲＥＱ２は、ｈｔｔｐサーバＨＴＴＰ＿Ｓに直接送信される。
【００７６】
第２の限定されない実施形態において、ｈｔｔｐスイッチングメディアコンテンツ要求ＲＥＱ２は、第３のサーバを介してｈｔｔｐサーバＨＴＴＰ＿Ｓに間接的に送信される。限定されない一例において、この第３のサーバは事業者サーバＯＰ＿Ｓである。それは、メディアコンテンツにコマーシャルまたは警報などの追加のマルチメディアコンテンツを挿入することを可能にする。次に、第３のサーバが、ｈｔｔｐスイッチングメディアコンテンツ要求ＲＥＱ２をｈｔｔｐサーバＨＴＴＰ＿Ｓに搬送する。
【００７７】
第６のステップ６）で、前記メディアコンテンツプレーヤＰＬ上で第２のメディアコンテンツＣ２を再生するための前記ｈｔｔｐスイッチングメディアコンテンツ要求ＲＥＱ２を前記メディアコンテンツセレクタＳＥから受信する（ステップＲＸ＿ＲＥＱ２（Ｃ２））。
【００７８】
限定されない一実施形態において、このステップは、ｈｔｔｐサーバＨＴＴＰ＿ＳのセッションマネジャＳＭによって実行される。
【００７９】
第７のステップ７）で、メディアコンテンツＣ１、Ｃ２へのアクセス権をもつためのモバイル装置ＭＡの認証および許可をチェックする（ＡＡチェックと称される）（ステップＣＨＫ＿ＡＡ）。
【００８０】
限定されない一実施形態において、モバイル装置ＭＡ識別子（ＭＳＩＳＤＮ、ＩＭＩＳ、．．．）に基づいて、セグメンタＳＧは、メディアコンテンツＣへのモバイル装置アクセス要求を制御し、場合によっては外部予約視聴のマネジャＳＵＢＭＧを呼び出すことによって前記要求を拒否する。前記予約視聴のマネジャＳＵＢＭＧは、メディアコンテンツを提供する事業者によって提供され、したがって、事業者サーバＯＰ＿Ｓ内に備えられる。
【００８１】
限定されない一実施形態において、ＡＡチェックは、ｍ３ｕ８索引ファイルのＵＲＬを備えるｈｔｔｐメッセージＭＳＧ１上で、または選択されたメディアコンテンツＣに対応する異なるセグメント−ＴＳのＵＲＩを備えるｈｔｔｐメッセージＭＳＧ１上で、実行される。
【００８２】
限定されない変形形態において、ｍ３ｕ８索引ファイルのＵＲＬは、そのＡＡチェックによってさらに使用されるモバイル装置ＭＡ識別子を備える。もう１つの限定されない変形形態において、ｈｔｔｐスイッチング要求ＲＥＱのヘッダは、そのＡＡチェックによってさらに使用されるモバイル装置ＭＡ識別子を備える。
【００８３】
その認証および許可機能は当業者によく知られているため、それらは本明細書では説明されない。
【００８４】
したがって、このステップは、モバイル装置ＭＡのユーザ（モバイルＴＶサービスロジックＭＴＳＶＬのモバイルＴＶ解決法で宣言された）が、見られることになるチャネルを含むパッケージを予約視聴していることをチェックすることを可能にする。
【００８５】
メディアコンテンツへのアクセスが許可されない場合、メディアコンテンツ要求は、拒否される、または、広告などのゲストメディアコンテンツに転送される。
【００８６】
第８のステップ８）で、メディアコンテンツＣに関するモバイル装置ＭＡのｈｔｔｐストリーミング要求に関する情報Ｉを保存する（ステップＳＡＶ＿Ｉ）。
【００８７】
これは、特定のモバイル装置、即ちユーザ、に関するｈｔｔｐストリーミング要求ＲＥＱ１に関するコンテクスト情報Iを保存することを可能にする。このコンテクストは、たとえば以下の限定されない例にあるような、認証情報、予約視聴情報およびタイムスタンプ情報を備える：
−  ストリーミングセッションの開始のタイムスタンプであって：
−  ストリーミングセッションは、ｈｔｔｐストリーミング要求ＲＥＱ１またはスイッチング要求で始まり、
−  ストリーミングセッションの終わり（メディアコンテンツの最後のセグメントのダウンロードの終わり）またはスイッチング要求の開始で終了する、タイムスタンプ
−  最後の要求メディアコンテンツＣ上のストリーミングの開始のタイムスタンプ、
−  最後の要求メディアコンテンツＣの名前、
−  モバイル装置ＩＰアドレス、
−  予約視聴チャネルバンドル、
−  予約視聴持続期間、を含む。
【００８８】
このステップは、ユーザに関する統計データを生成することを可能にし、たとえば１つのチャネルについての視聴者およびユーザの関心を監視することを可能にする。
【００８９】
限定されない一例において、このステップは、セッションマネジャＳＭによって実行される。
【００９０】
第９のステップ９）で、第１のメディアコンテンツＣ１の再生の終了、および第２のメディアコンテンツＣ２の再生の開始を通知する事象Ｅを事象管理システムＥＭＳに送信する（ステップＴＸ＿Ｅ）。
【００９１】
したがって、メディアコンテンツストリームの変更、メディアコンテンツプレーヤの停止などの事象が生じたかが分かる。
【００９２】
このステップは、たとえばチャネルに関する視聴者データ測定を実行することを可能にする。
【００９３】
限定されない一実施形態において、前記事象管理システムＥＭＳは、メディアコンテンツを提供する事業者によって提供され、したがって、事業者サーバＯＰ＿Ｓ内に備えられる。
【００９４】
第１０のステップ１０）では、前記第２のファイルＣ２．Ｆ１、Ｃ２．Ｆ２内に広告コンテンツを挿入する（ステップＩＮＳＲＴ＿ＡＤＶ）。
【００９５】
限定されない一実施形態において、このステップは、事業者サーバＯＰ＿Ｓ内に備えられたモバイルＴＶサービスロジックＭＴＶＳＬによって実行される。
【００９６】
限定されない一実施形態において、その広告コンテンツは、ｍ３ｕ８索引ファイル内の−ＴＳファイルとして挿入される。
【００９７】
限定されない一実施形態において、警報コンテンツもまた、前記第２のファイル−ＴＳ内に挿入されうる。
【００９８】
前述のように、このステップが実行されるとき、メディアコンテンツのスイッチングの要求ＲＥＱ２が、次にそれをｈｔｔｐサーバＨＴＴＰ＿Ｓに搬送する事業者サーバＯＰ＿Ｓに送信される。
【００９９】
第１１のステップ１１）では、前記第１のｈｔｔｐメッセージＭＳＧ１内で前記第１のファイルＣ１．Ｆ１、Ｃ１．Ｆ２を前記第２のメディアコンテンツＣ２に対応する第２のファイルＣ２．Ｆ１、Ｃ２．Ｆ２によって置き換える（ステップＲＬＰ＿Ｃ）。
【０１００】
限定されない一実施形態において、ｈｔｔｐサーバＨＴＴＰ＿Ｓのセッションマネジャは、まず第２のチャネルＣ２に対応するセグメント−ＴＳおよび索引ファイルｍ３ｕ８をセグメンタＳＧから取り出し、そして次にこれらの第２のファイルによって第１のファイルを置き換えることによって、このステップを実行した。
【０１０１】
第１２のステップ１２）では、前記第２のメディアコンテンツＣ２は前記第２のファイルＣ２．Ｆ２のうちのいくつかの中でセグメント化されていて、前記第２のファイルＣ２．Ｆ１、Ｃ２．Ｆ２を備える前記ｈｔｔｐストリーミング要求ＲＥＱ１に関連する第１のｈｔｔｐメッセージＭＳＧ１を前記メディアコンテンツプレーヤＰＬに送信する（ステップＴＸ＿ＭＳＧ１（Ｃ２．Ｆ１、Ｃ２．Ｆ２））。
【０１０２】
限定されない一実施形態において、このステップは、ｈｔｔｐサーバＨＴＴＰ＿Ｓのセッションマネジャによって実行される。
【０１０３】
第１３のステップ１３）では、前記第２のメディアコンテンツＣ２は第２のファイルＣ２．Ｆ２のうちのいくつかの中でセグメント化されていて、第２のファイルＣ２．Ｆ１、Ｃ２．Ｆ２を備える前記ｈｔｔｐストリーミング要求ＲＥＱ１に関連する第１のｈｔｔｐメッセージＭＳＧ１を前記メディアコンテンツプレーヤＰＬ上で前記ｈｔｔｐサーバＨＴＴＰ＿Ｓから受信する（ステップＲＸ＿ＭＳＧ１（Ｃ２．Ｆ１、Ｃ２．Ｆ２））。
【０１０４】
ファイルＣ１．Ｆ１、Ｃ１．Ｆ２のＣ２．Ｆ１およびＣ２．Ｆ２への変更は、モバイル装置ＭＡの視点から透過的であることに留意されたい。実際に、モバイル装置ＭＡはさらに第１のｈｔｔｐメッセージＭＳＧ１を受信し、それによって第１のメディアコンテンツＣ１を再生することを検討する。同じｈｔｔｐメッセージが使用されるため、モバイル装置はそのスイッチングを認識しない。
【０１０５】
さらに、メディアコンテンツストリームの中断はない。
【０１０６】
前述のステップの順番は、限定されない実施形態において述べられ、図示されていることを理解されたい。もちろん、適用可能なときには、ステップの任意の他の順番が実施されうる。たとえば、図５および図６に示すステップ７）８）および９）は、並行して実施されることができる。
【０１０７】
したがって、バンド外信号（すなわち、メディアコンテンツスイッチングが、メディアコンテンツプレーヤの外で要求され、実行される）に基づいて、セッションマネジャＳＭは、所与のモバイル装置ＭＡによってダウンロードされた、ｍ３ｕ８索引ファイルのコンテンツを動的に修正することによって、そしてその場合には、広告などの挿入されることになる予期される追加のメディアコンテンツにより、メディアコンテンツスイッチング要求を処理する。
【０１０８】
したがって、メディアコンテンツをスイッチングする本方法およびメディアコンテンツのスイッチングを要求する本方法は、メディアコンテンツのスイッチングの時間を改善し、メディアコンテンツプレーヤＰＬのターンオフを回避する。
【０１０９】
前述のように、前述のメディアコンテンツをスイッチングする本方法およびメディアコンテンツのスイッチングを要求する方法は：
−  メディアコンテンツＣをスイッチングすることができる、そしてメディアコンテンツプレーヤＰＬおよびメディアコンテンツセレクタＳＥを備えるモバイル装置ＭＡと通信することができる、ｈｔｔｐサーバＨＴＴＰ＿Ｓと、
−  メディアコンテンツプレーヤＰＬおよびメディアコンテンツセレクタＳＥを備え、そしてｈｔｔｐサーバＨＴＴＰ＿Ｓと通信することができる、モバイル装置ＭＡ、によってそれぞれ実行される。
【０１１０】
図７に示すように、かかるｈｔｔｐサーバＨＴＴＰ＿Ｓは：
−  前記メディアコンテンツプレーヤＰＬ上で第１のメディアコンテンツＣ１を再生するための前記メディアコンテンツプレーヤＰＬからのｈｔｔｐストリーミング要求ＲＥＱ１を受信することと、
−  第１のファイルＣ１．Ｆ１、Ｃ１．Ｆ２のうちのいくつかの中でセグメント化された前記第１のメディアコンテンツＣ１に対応する前記第１のファイルを備える前記ｈｔｔｐストリーミング要求ＲＥＱ１に関連する第１のｈｔｔｐメッセージＭＳＧ１を前記メディアコンテンツプレーヤＰＬに送信することと、
−  前記メディアコンテンツプレーヤＰＬ上で第２のメディアコンテンツＣ２を再生するための前記メディアコンテンツセレクタＳＥからのｈｔｔｐスイッチングメディアコンテンツ要求ＲＥＱ２を受信することと、
−  前記第２のメディアコンテンツＣ２に対応する第２のファイルＣ２．Ｆ１、Ｃ２．Ｆ２によって前記第１のファイルＣ１．Ｆ１、Ｃ１．Ｆ２を前記第１のｈｔｔｐメッセージＭＳＧ１内で置き換えることと、
−  前記第２のメディアコンテンツＣ２が前記第２のファイルＣ２．Ｆ２のうちのいくつかの中でセグメント化されていて、前記第２のファイルＣ２．Ｆ１、Ｃ２．Ｆ２を備える前記ｈｔｔｐストリーミング要求ＲＥＱ１に関連する第１のｈｔｔｐメッセージＭＳＧ１を前記メディアコンテンツプレーヤＰＬに送信すること、ができる。
【０１１１】
図７に示すように、かかるモバイル装置ＭＡは：
−  前記メディアコンテンツプレーヤＰＬ上で第１のメディアコンテンツＣ１を再生するためのｈｔｔｐストリーミング要求ＲＥＱ１を前記メディアコンテンツプレーヤＰＬによって前記ｈｔｔｐサーバＨＴＴＰ＿Ｓに送信することと、
−  第１のファイルＣ１．Ｆ１、Ｃ１．Ｆ２のうちのいくつかの中でセグメント化された前記第１のメディアコンテンツＣ１に対応する前記第１のファイルを備える前記ｈｔｔｐストリーミング要求ＲＥＱ１に関連する第１のｈｔｔｐメッセージＭＳＧ１を前記メディアコンテンツプレーヤＰＬ上で前記ｈｔｔｐサーバＨＴＴＰ＿Ｓから受信することと、
−  前記メディアコンテンツプレーヤＰＬ上で第２のメディアコンテンツＣ２を再生するためのｈｔｔｐスイッチングメディアコンテンツ要求ＲＥＱ２を前記メディアコンテンツセレクタＳＥによって前記ｈｔｔｐサーバＨＴＴＰ＿Ｓに送信することと、
−  前記第２のメディアコンテンツＣ２が第２のファイルＣ２．Ｆ２の中のいくつかの中でセグメント化されていて、第２のファイルＣ２．Ｆ１、Ｃ２．Ｆ２を備える前記ｈｔｔｐストリーミング要求ＲＥＱ１に関連する第１のｈｔｔｐメッセージＭＳＧ１を前記メディアコンテンツプレーヤＰＬ上で前記ｈｔｔｐサーバＨＴＴＰ＿Ｓから受信すること、ができる。
【０１１２】
限定されない一実施形態において、モバイル装置ＭＡは携帯電話である。
【０１１３】
限定されない一実施形態において、モバイル装置ＭＡはＩＰｈｏｎｅ（ＴＭ）である。したがって、これらの２つの方法は、Ａｐｐｌｅ（ＴＭ）の提案標準「ＨＴＴＰライブストリーミング」内で実装されうる。
【０１１４】
本発明は前述の実施形態および変形形態に限定されず、本発明の趣旨および範囲を逸脱することなく変形や修正が行われうることを理解されたい。その点で、以下が注記される。
−  携帯電話の代わりに、モバイル装置ＭＡはメディアコンテンツプレーヤ機能のみを備えうる。たとえば、それはＩＰｏｄ（ＴＭ）でもよい。
−  メディア通信システムＳＹＳのアーキテクチャは、図１に示す限定されない例とは異なりうる。したがって、それは、メディア通信システムＳＹＳの第２の実施形態による図８に示すような、エンコーダＥＮＣＯＤおよびセグメンタＳＧを備える独立サーバＳＶを備えうる。
【０１１５】
本発明は前述の適用例に限定されないことを理解されたい。
【０１１６】
本発明による本方法および要素は任意の実装に限定されないことを理解されたい。
【０１１７】
ハードウェアまたはソフトウェアの単一のアイテムがいくつかの機能を実行することができるという条件で、ハードウェアまたはソフトウェア、あるいは両方のアイテムによって、メディアコンテンツをスイッチングするおよびメディアコンテンツをスイッチングすることを要求する本方法の機能を実装する多数のやり方が存在する。それは、ハードウェアまたはソフトウェア、あるいは両方のアイテムのアセンブリが機能を実行することを排除しない。たとえば、コンテクスト情報を保存するステップ８）は、事象を送信するステップ９）と結合されることができ、それによって、メディアコンテンツをスイッチングする本方法およびメディアコンテンツのスイッチングを要求する本方法を修正することなく、単一の機能を形成しうる。
【０１１８】
前記ハードウェアまたはソフトウェアアイテムはそれぞれ、有線電子回路によってまたは適切なそれぞれプログラムされたコンピュータプログラム製品によってなど、いくつかの形で実装されることができる。
【０１１９】
第１のコンピュータプログラム製品ＰＧ１は、コンピュータにまたはｈｔｔｐサーバに、およびより詳細にはセッションマネジャに、含まれうる。前記ｈｔｔｐサーバは、前述のステップを実行することができるユニット制御を備え、前記ユニット制御は前述のようなハードウェアまたはソフトウェアアイテムである。
【０１２０】
第２のコンピュータプログラム製品ＰＧ２は、コンピュータにまたはモバイル装置に、およびより詳細にはメディアコンテンツセレクタに含まれうる。前記モバイル装置は、前述のステップを実行することができるユニット制御を備え、前記ユニット制御は前述のようなハードウェアまたはソフトウェアアイテムである。
【０１２１】
第１のコンピュータプログラム製品ＰＧ１は、１セットの命令を備える。したがって、たとえばコンピュータプログラミングメモリにまたはｈｔｔｐサーバメモリに含まれる、前記セットの命令は、コンピュータまたはｈｔｔｐサーバにメディアコンテンツをスイッチングする本方法の異なるステップを実行させることができる。
【０１２２】
第２のコンピュータプログラム製品ＰＧ２は、１セットの命令を備える。したがって、たとえば、コンピュータプログラミングメモリにまたはモバイル装置メモリに含まれる、前記セットの命令は、コンピュータまたはｈｔｔｐサーバにメディアコンテンツのスイッチングを要求する本方法の異なるステップを実行させることができる。
【０１２３】
セットの命令は、たとえばディスクなどのデータキャリアを読み取ることによって、プログラミングメモリにロードされることができる。サービスプロバイダはまた、たとえばインターネットなどの通信ネットワークを介して入手可能なセットの命令を作ることができる。
【０１２４】
したがって、本発明は、以下のさらなる利点を備える：
−  それは、Ｉｐｈｏｎｅ（ＴＭ）またはＩＰｈｏｎｅ  ＳＤＫ（ＴＭ）などのＲＳＴＰ移送ベアラを使用しない任意のモバイル装置に適用されることができる：それは、ＲＴＳＰストリーミングを可能にしないモバイル装置上でメディアコンテンツをスイッチングすることを可能にする、
−  それは、Ｉｐｈｏｎｅ（ＴＭ）などのメディアコンテンツをスイッチングするための解決法を提案しない任意のモバイル装置に適用されることができる、
−  移送ベアラ（セッションマネジャおよびメディアコンテンツセレクタの間のｈｔｔｐセッション）は変わらない、
−  それは、モバイル装置のユーザがメディアコンテンツプレーヤをターンオフすることを回避する、
−  それは、ｈｔｔｐストリーミングのおかげで、セグメント内でメディアコンテンツストリームを送信することを可能にする、
−  それは、ユーザメディアコンテンツ予約視聴へのハッキングの試みを回避する、
−  それは、ＡＡチェックによってそれを予約視聴するユーザによる所与のメディアコンテンツについての固有のアクセスを確保する、
−  それは、メディアコンテンツを見るのに費やした時間などのエンドユーザの情報を保存することを可能にする、ならびに
−  それは、ユーザがメディアコンテンツをスイッチングしたいときに、もう１つのｈｔｔｐストリーミング接続（ｈｔｔｐストリーミング要求を送信すること、索引ファイルおよびセグメントのダウンロード、前記セグメントを再生すること）を再始動することを回避する。
【０１２５】
以下の特許請求の範囲におけるいずれの参照符号も、その特許請求を制限するものとして解釈されるべきではない。動詞「備える」およびその活用は、いずれかの特許請求の範囲で定義されるもの以外の他のステップまたは要素の存在を排除しないことが明らかとなろう。要素またはステップに先行する単語「１つの」は、複数のかかる要素またはステップの存在を排除しない。
【図１】
2013500658.tif 000003
【図２】
2013500658.tif 000004
【図３】
2013500658.tif 000005
【図４】
2013500658.tif 000006
【図５】
2013500658.tif 000007
【図６】
2013500658.tif 000008
【図７】
2013500658.tif 000009
【図８】
2013500658.tif 000010
【国際調査報告】
2013500658.tif 000011
2013500658.tif 000012
2013500658.tif 000013